(57)【要約】【課題】苗箱に育成したマット状苗を苗箱から掬い取る苗取板において、苗箱からの苗の剥離作業並びに田植機への苗の供給作業が効率的に行えて、作業性を向上出来る苗取板を得る。【解決手段】苗箱に育成したマット状苗を苗箱から掬い取る、平面視で長辺と短辺を有する方形状の苗取板であって、該苗取板の両短辺側に把持部及び苗掬い部を設けた。また、苗取板下側に短辺側から長辺方向の中央部に向かうにつれて突出量が大きくなる突出部を設けた。【選択図】        図２
2004242534.tif 000002
【特許請求の範囲】
【請求項１】
苗箱に育成したマット状苗を苗箱から掬い取る、平面視で長辺と短辺を有する矩形状の苗取板であって、該苗取板の両短辺側に把持部及び苗掬い部を設けたことを特徴とする苗取板。
【請求項２】
苗取板下側に長辺方向の中央部から短辺側に向かうにつれて突出量が小さくなる突出部を設けたことを特徴とする請求項１記載の苗取板。
【発明の詳細な説明】
【０００１】
【発明の属する技術分野】
本発明は、苗箱に育成したマット状苗を掬い取る苗取板の構成に関する。
【０００２】
【従来の技術】
通常、苗箱で育成したマット状苗は、苗の根の繁茂で苗箱から容易に取出す事が出来ず、また、苗箱から取出した重量のあるマット状苗を田植機の苗載台や補助苗載台に供給する際は、苗の葉部を傷めずに供給する必要がある。
そして、苗箱に育成したマット状苗を掬い取る矩形状の苗取板は、既に知られている。（例えば、特許文献１参照。）
【０００３】
特開２００２−１９１２０７号公報（第３頁、図９〜１１）
【０００４】
【発明が解決しようとする課題】
しかしながら、田植作業時には大量のマット状苗を苗箱から掬い取って田植機に供給する必要があり、それら大量の苗を近年多数普及している乗用田植機等に供給するような場合には、圃場に隣接する狭い農道等から圃場内の機台迄供給することとなるので、通常は、乗車している作業者に機外の補助者から手渡し作業により苗供給作業が行われている。
その際、上記特許文献１に記載のものでは、把手部が片側に段差状で設けられており、その反対側がテーパー状の苗掬い部となっているので、マット状苗を苗箱から掬い取る時には、把手部側を握って苗掬い部側を苗箱と苗の間に挿入して掬い取り作業をする行う。
【０００５】
また、田植機の苗載台や補助苗載台へ苗を供給するに当たっては、作業者が運転席側から補助苗載台上の苗を苗取板ごと取る場合には、把手部が作業者側にある必要があるので、苗取板付きのマット状苗を作業者（又は補助者）が把手部側を運転席側に向けて苗取板を補助苗載台に載置することとなる。
更に、苗取板上のマット状苗を苗載台へ直接供給する場合には、把手部から供給しようとすると段差状の把持部に苗が引っかかるため、苗掬い部を苗載台に向けて供給する必要がある。
従って、これらにより、苗箱から苗を掬い取って田植機の苗載台へ供給するまでの一連の作業の中で、その都度苗取板の方向性を考え、場合によっては持ち替えを行わなければならず、作業性が悪いとの問題があった。
本願発明は、上記課題を解消することを目的とする。
【０００６】
【課題を解決するための手段】
上記目的を達成するため、本発明においては、苗箱に育成したマット状苗を、苗箱から掬い取って田植機に供給する、平面視で長辺と短辺を有する矩形状の苗取板であって、該苗取板の両短辺側に把持部及び苗掬い部を設けたことを第１の特徴とする。
【０００７】
又、苗取板下側に長辺方向の中央部から短辺側に向かうにつれて突出量が小さくなる突出部を設けたことを第２の特徴とする。
【０００８】
【発明の実施の形態】
本発明の実施の形態の一例を以下図面に基づいて説明する。図１は本願発明装置を使用する乗用田植機の全体側面図であって、通常の乗用田植機と同様に、１は前後に一対の車輪２，２、３，３を備え、後部に上下の乗降リンク機構４による田植装置５を装着した田植機である。
そして、上記田植機１の前部には内部にエンジンを搭載したボンネット６を挟む左右両側に、複数段からなる補助苗載台７，７を備え、左右の中央位置に運転操作用のハンドル８、更には各種の運転操作装置等を配置し、中央部には運転者の座席９を、また、後部の上記田植装置５には、複数条の縦桟で区切られた苗載台１０と各植付苗条毎に対応して設けた複数の苗植付装置１１・・・等が備えられると共に、その下方には複数のフロート１２・・・が備えられている。
なお、本実施の形態の田植機１は、田植作業と同時にペースト施肥作業を行う装置を備えているため、機体前部に搭載したペースト肥料タンクからの液状肥料を、各植付条毎にポンプ・・・や座席９後部のインジケータ１３・・・及びホース１４・・・等を介して後方の施肥ノズル１５・・・から土中に散布するように構成されている。
【０００９】
次に、マット状苗Ｎを苗箱Ｍより掬い取って、上記田植機１の苗載台１０や補助苗載台７上に、供給するための苗取板１７の構成について説明する。
即ち、図２は、苗取板１７の全体斜視図であって、上記苗取板１７は通常の苗取板と同様に平面視では、短辺１８側の横幅が苗箱Ｍの短辺内径に略近い寸法で、且つ、長辺１９側の寸法が苗箱Ｍの長辺内径より稍大きい寸法の矩形状をしており、これを側面視で見ると、上面は略均平状で、長辺１９側の中央部２０下側を苗箱Ｍの厚さｈより高い寸法Ｈ（図３参照）を有し、左右の両短辺１８，１８側に向かうにつれて徐々に下側への突出量が小さくなる左右対称形状のリブ状の突出部を形成している。
【００１０】
そして、長辺方向の両端部に近い部分の裏面に、手の指が入って握り易い把持部２１ａ，２１ｂを夫々下方に突出させて備えている。
また、長手方向の両端部側の薄くなった部分は苗掬い部２２ａ，２２ｂを構成しており、上記苗取板１７で苗箱Ｍ内のマット状苗Ｎを掬い取る際に苗箱Ｍに絡みついた根を切る根切刃としての役目を果たすものである。
【００１１】
次に、図３は苗箱Ｍ内のマット状苗Ｎを、上記苗取板１７で掬い取る際の夫々の状態の作用説明図を示す。
即ち、苗箱Ｍ内のマット状苗Ｎを掬い取る際には、作業者は長辺方向に対称形状となっている苗取板１７のどちらか一方の把持部（例えば２１ａ）を手で握って（この場合、親指のみは表面に当てる）、他方側の苗掬い部２２ｂを苗箱Ｍの短辺側の隅部からマット状苗Ｎの根元下方へ差し込む。そして、その一方の底辺部２３ｂを苗箱Ｍの底面２４上を摺動させて奥側迄差し込む〔図３（ａ）の状態〕。
【００１２】
次いで、苗取板１７の手元を図の矢印Ａ方向に押さえれば、中央部２０の下方頂部２５を支点とする天秤作用により、特にマット状苗Ｎの奥側が浮き上がり（図の矢印Ｂ方向）、簡単にマット状苗Ｎが苗箱Ｍから完全に分離されて、根張りの強いマット状苗Ｎでも迅速・簡単に分離され、苗取板１７を図の矢印Ｃ方向に押すと苗Ｎの両側が苗箱Ｍの上側に位置して苗取板１７上に載置される〔図３（ｂ）の状態〕。
そして、他側の底辺部２３ａを苗箱Ｍの底面につけて一方の把持部２１ａ側を下げてマット状苗Ｎを引き取る側から取り易いように苗取板１７の片側を持ち上げる〔図３（ｃ）の状態〕。
これらにより、次の作業行程である田植機へのマット状苗Ｎの供給が円滑に出来、これらの作業行程を繰り返し行うこととなる。
【００１３】
以上のマット状苗Ｎの掬い取り作業において、苗取板１７の方向性を何等選別する必要がなく、どちらか一方の把持部２１ａ（２１ｂ）を握って掬い取れば良いので、作業性が良くなると共に、苗取板１７の下側中央部２０の頂部２５を支点とする天秤作用により、殊に苗箱Ｍ奥側のマット状苗Ｎの分離が簡単となり、更に、苗取板１７の片側底辺部２３ａ（２３ｂ）を作業者側の把持部２１ｂ（２１ａ）を上方に持ち上げて苗箱Ｍの底面２４に接地させる事により、次行程にマット状苗Ｎ供給時に苗Ｎが取り易くなるものである。
【００１４】
更に又、上記の苗取板１７にて苗箱Ｍから分離したマット状苗Ｎを、田植機１の苗載台１０や補助苗載台７上に搭載して、田植作業を行う場合には、通常、作業圃場である水田内にある田植機１に圃場に隣接する農道からマット状苗Ｎを補助者が苗取板１７に載せた状態、または苗箱Ｍとマット状苗Ｎとの間に苗取板１７を挟んだ状態で、田植機１に搭乗している作業者に１個づつ手渡し、それを作業者が受け取って、田植機１後方の苗載台１０や前方の補助苗載台７上に載置する作業を行う。
その際に、苗取板１７の方向性を気にすることなく、どららからでも供給することができるため、受け渡しに当たって従来の如くその都度持ち替えて方向を修正するような煩わしさを何等必要とせず、取り扱いが楽で作業性が向上するものである。
【００１５】
また、補助苗載台７の棚上に補助者が畦際からマット状苗Ｎを直接供給するような場合にも、補助者が機体の前方より供給したマット状苗Ｎを苗取板１７ごと作業者が後方から引き抜いて、田植機１後方の苗載台１０上にそのまま補充することが出来るので、苗の供給に要する時間を短縮出来、作業性が向上するものである。
【００１６】
【発明の効果】
本発明は、前記の如く、苗箱Ｍに育成したマット状苗Ｎを苗箱Ｍから掬い取る、平面視で長辺１９と短辺１８を有する矩形状の苗取板１７であって、該苗取板１７の両短辺１８側に把持部２１ａ，２１ｂ及び苗掬い部２２ａ，２２ｂを設けたので、苗取板１７は、苗箱Ｍからマット状苗Ｎを分離したり、この分離したマット状苗Ｎ・・・を田植機１の苗載台１０や補助苗載台７上に供給又は補充をする場合に、どちら側からでもこれらの作業をすることが出来、また、マット状苗Ｎを受け渡す際にも作業者（又は補助者）がいちいち一方側に持ち替えるような必要がなく、そのままの状態で直ちに供給することが出来、更に、補助者がマット状苗Ｎを直接補助苗台７上に前方から供給した後、作業者がマット状苗Ｎを苗取板１７ごと後方から引き抜いて、田植機１の苗載台１０上にそのまま補給することが可能と成る等作業性を向上させるものである。
【００１７】
更に、苗取板１７下側に長辺１７方向の中央部から短辺１８側に向かうにつれて突出量が小さくなる突出部を設けたので、苗取板１７は、苗箱Ｍからマット状苗Ｎを分離する際に、中央部２０にある頂部２５を支点とする天秤作用により、簡単迅速にマット状苗Ｎが苗箱Ｍから完全に分離され、苗取板１７の片側底辺部２３ａ（２３ｂ）を作業者側の把持部２１ｂ（２１ａ）を上方に持ち上げて苗箱Ｍの底面２４に接地させる事により、次行程である苗Ｎ供給時に苗Ｎが取り易くなるとの効果を奏する。
【図面の簡単な説明】
【図１】乗用田植機の全体側面図である。
【図２】苗取板の全体斜視図である。
【図３】苗箱内のマット状苗を、苗取板で剥ぎ取る際の夫々の状態の作用説明図を示し、（ａ）は苗取板を苗箱に差し込んだ状態、（ｂ）は天秤作用状態、（ｃ）は苗取板の片側を上昇させて苗箱から外に取り出せる状態の図である。
【符号の説明】
１    田植機
５    田植装置
７    補助苗載台
１０  苗載台
１７  苗取板
１８  短辺
１９  長辺
２０  中央部
２１ａ，２１ｂ  把持部
２２ａ，２２ｂ  苗掬い部
２３ａ，２３ｂ  底辺部
２４  （苗箱の）底面
２５  頂部
Ｎ    マット状苗
Ｍ    苗箱
【図１】
2004242534.tif 000003
【図２】
2004242534.tif 000004
【図３】
2004242534.tif 000005